(57)【要約】【課題】セグメント間で互いに同一パターンのＮＵＬＬパケットを受ける状態となっても、ＯＦＤＭ方式による連結送信出力の乱れをなくすことのできる連結送信装置及び連結送信方法を提供すること。【解決手段】連結送信装置において、セグメント単位で構成される複数系統の音声放送用ＴＳは、エラー訂正部１０−１〜１０−ＮでＮＵＬＬパケットであるか否かを識別される。ＮＵＬＬパケットであると識別し、それが一定回数継続した場合、制御部１２−１〜１２−ＮでそのＮＵＬＬパケットの時間インターリーブの深さを０，１，２，４のうちからランダムに切り替え制御する。そして、ＯＦＤＭ化部２０でそれらの信号を連結しＯＦＤＭ方式により多重して、ＯＦＤＭ信号として出力する。【選択図】      図１
2009016923.tif 000002
【特許請求の範囲】
【請求項１】
セグメント単位で構成される複数系統の放送用ＴＳ（Transport Stream：トランスポートストリーム）を入力し、セグメントごとに時間インターリーブを施す時間インターリーブ処理部と、
前記時間インターリーブが施された複数系統の放送用ＴＳを連結してＯＦＤＭ（Orthogonal Frequency Division Multiplexing：直交周波数分割多重）方式によって多重することで送信信号を生成する連結処理部と、
前記複数系統の放送用ＴＳそれぞれについて特定パターンによる無効パケットに置き換えられているか否かを識別する識別部と、
前記識別部で前記無効パケットへの置き換えが識別されたとき、前記時間インターリーブ処理部に対して前記無効パケットに置き換えられた系統の放送用ＴＳのセグメント毎の時間インターリーブの深さをランダムに変更するように制御する制御部と
を具備することを特徴とする連結送信装置。
【請求項２】
前記識別部は、前記複数系統の放送用ＴＳそれぞれから当該ＴＳに含まれるパケット識別情報を抽出し、抽出されたパケット識別情報に基づいて前記無効パケットの識別を行うことを特徴とする請求項１記載の連結送信装置。
【請求項３】
前記時間インターリーブ処理部は、前記放送用ＴＳに誤り訂正用の冗長ビットを付加するエラー訂正処理部に組み込まれることを特徴とする請求項１記載の連結送信装置。
【請求項４】
セグメント単位で構成される複数系統の放送用ＴＳ（Transport Stream：トランスポートストリーム）を入力し、セグメントごとに時間インターリーブを施し、
前記時間インターリーブが施された複数系統の放送用ＴＳを連結してＯＦＤＭ（Orthogonal Frequency Division Multiplexing：直交周波数分割多重）方式によって多重することで送信信号を生成する連結送信方法であって、
前記複数系統の放送用ＴＳそれぞれについて特定パターンによる無効パケットに置き換えられているか否かを識別し、
前記無効パケットへの置き換えが識別されたとき、前記時間インターリーブ処理部に対して前記無効パケットに置き換えられた系統の放送用ＴＳのセグメント毎の時間インターリーブの深さをランダムに変更するように制御することを特徴とする連結送信方法。
【発明の詳細な説明】
【技術分野】
【０００１】
本発明は、例えば地上デジタル音声放送において、複数の放送用ＴＳ（Transport Stream：トランスポートストリーム）を連結してＯＦＤＭ（Orthogonal Frequency Division Multiplexing：直交周波数分割多重）方式により多重することで信号を生成する連結送信装置と連結送信方法に関する。
【背景技術】
【０００２】
近年、実用化試験として開始された地上デジタル音声放送では、連結送信方式を採用し、複数の放送局から送られてくるセグメント単位の音声ＴＳ（Transport Stream）信号を８セグメント分受信して連結し、ＯＦＤＭ方式によって多重することで放送信号を生成し、１９０．２１４２８６ＭＨｚを中心とする約４ＭＨｚ帯で出力している（例えば、特許文献１参照。）。放送局には、１セグメントの音声放送用ＴＳを送信する局と、３セグメントの音声放送用ＴＳを送信する局とがある。現在、首都圏では１セグメント×５局、３セグメント×１局の放送単位、近畿圏では１セグメント×８局の放送単位となっている。
【０００３】
ところで、ＯＦＤＭ方式では、放送用ＴＳの連結時に各セグメントの信号パターンが同じになると、原理的に出力波形に乱れが生じる。これに対し、地上デジタル音声放送では、通常は各放送局から出力される音声放送用ＴＳの信号が互いに異なるため、音声放送用ＴＳを連結させてもセグメント間でパターンが同一になることはなく、ＯＦＤＭ化して出力することに問題はない。しかしながら、現在の地上デジタル音声放送では、音声放送用ＴＳの送出を休止する場合、各放送局から特定のパターンのＮＵＬＬパケット（情報として意味を持たない無効パケット）を音声放送用ＴＳとして送信するように規定されている。このため、休止状態となった音声放送用ＴＳのセグメント間で信号パターンが完全に一致してしまい、ＯＦＤＭ出力波形に大きな乱れが生じてしまう。
【特許文献１】特開２００４−２６６７４７号公報
【発明の開示】
【発明が解決しようとする課題】
【０００４】
以上のように、従来の地上デジタル音声放送における連結送信装置では、放送局が休止状態に入った場合に、セグメント間で互いに同一パターンの無効パケット（ＮＵＬＬパケット）を受けることになるため、各セグメントを連結してＯＦＤＭ化した際に、その出力に大きな乱れが生じてしまう。
【０００５】
本発明は、上記事情によりなされたもので、その目的は、セグメント間で互いに同一パターンの無効パケットを受ける状態となっても、ＯＦＤＭ方式による連結送信出力の乱れをなくすことのできる連結送信装置及び連結送信方法を提供することにある。
【課題を解決するための手段】
【０００６】
上記目的を達成するため、本発明に係る連結送信装置は、セグメント単位で構成される複数系統の放送用ＴＳ（Transport Stream：トランスポートストリーム）を入力し、セグメントごとに時間インターリーブを施す時間インターリーブ処理部と、前記時間インターリーブが施された複数系統の放送用ＴＳを連結してＯＦＤＭ（Orthogonal Frequency Division Multiplexing：直交周波数分割多重）方式によって多重することで送信信号を生成する連結処理部と、前記複数系統の放送用ＴＳそれぞれについて特定パターンによる無効パケットに置き換えられているか否かを識別する識別部と、前記識別部で前記無効パケットへの置き換えが識別されたとき、前記時間インターリーブ処理部に対して前記無効パケットに置き換えられた系統の放送用ＴＳのセグメント毎の時間インターリーブの深さをランダムに変更するように制御する制御部とを有する。
【０００７】
また、本発明に係る連結送信方法は、セグメント単位で構成される複数系統の放送用ＴＳ（Transport Stream：トランスポートストリーム）を入力し、セグメントごとに時間インターリーブを施し、前記時間インターリーブが施された複数系統の放送用ＴＳを連結してＯＦＤＭ（Orthogonal Frequency Division Multiplexing：直交周波数分割多重）方式によって多重することで送信信号を生成する場合に、前記複数系統の放送用ＴＳそれぞれについて特定パターンによる無効パケットに置き換えられているか否かを識別し、前記無効パケットへの置き換えが識別されたとき、前記時間インターリーブ処理部に対して前記無効パケットに置き換えられた系統の放送用ＴＳのセグメント毎の時間インターリーブの深さをランダムに変更するように制御する。
【０００８】
上記構成による連結送信装置及び連結送信方法は、セグメント単位で構成される複数系統の音声放送用ＴＳを連結し、ＯＦＤＭ方式により多重して、放送信号として出力する際に、複数系統の音声放送用ＴＳそれぞれに時間インターリーブが施されることを利用し、各セグメントで音声放送用ＴＳが特定の信号パターンによる無効パケットに置き換わった場合にこれを識別し、一定回数連続で無効パケットを検出した時にそのセグメントの時間インターリーブの深さを切り換える。これにより、複数系統の音声放送用ＴＳが無効パケットに置き換わった場合でも、セグメント間の信号パターンがランダムとなり、ＯＦＤＭ化による出力波形の乱れをなくすことが可能となる。
【発明の効果】
【０００９】
本発明によれば、セグメント間で互いに同一パターンの無効パケットを受ける状態となっても、ＯＦＤＭ方式による連結送信出力の乱れをなくすことのできる連結送信装置及び連結送信方法を提供することができる。
【発明を実施するための最良の形態】
【００１０】
以下、図面を参照しながら本発明の実施の形態について詳細に説明する。尚、本実施形態では、第１乃至第Ｎの放送局からそれぞれ１セグメントの音声放送用ＴＳが送信される場合について説明する。
【００１１】
図１は、本発明の一実施形態に係る連結送信装置の機能構成を示すブロック図である。図１に示す連結送信装置では、上記第１乃至第Ｎの放送局から送信されるＮ系統の音声放送用ＴＳを入力して、エラー訂正部（ＦＥＣ）１０−１〜１０−Ｎでエラー検出・訂正処理のために最低限必要となる冗長なデータを付加し、時間インターリーブを施して出力する。そして、ＯＦＤＭ化部２０において、冗長なデータが付加されたＮ系統の音声放送用ＴＳを連結し、ＯＦＤＭ方式により多重して放送信号を生成し、図示しない周波数変換器、電力増幅器を介して送出する。
【００１２】
上記Ｎ系統の放送局は、放送時間が終了して休止状態に入ると、音声ＴＳの代わりにＮＵＬＬパケットを出力する。このＮＵＬＬパケットは、予めその信号パターンが決められており、ＰＩＤ（Packet Identifier）が「ＨＥＸ４桁で１ＦＦ０」と決められている。
【００１３】
上記エラー訂正部１０−１〜１０−Ｎは、ＮＵＬＬパケットを識別する識別部１１−１〜１１−Ｎと、ＮＵＬＬパケット識別時に時間インターリーブの深さをランダムに切換制御する制御部１２−１〜１２−Ｎとを備え、エラー検出・訂正処理のために必要となる冗長なデータを付加する機能に加え、ＮＵＬＬパケットが入力された場合に、ＮＵＬＬパケットの時間インターリーブの深さをランダムに切り換える機能を有する。
【００１４】
上記識別部１１−１〜１１−Ｎは、それぞれ対応する放送局からの音声放送用ＴＳがＮＵＬＬパケットに置き換わったか否かを、音声放送用ＴＳのＰＩＤに記述されたＨＥＸ４桁の１ＦＦ０を検出することで識別する。
【００１５】
上記制御部１２−１〜１２−Ｎは、識別部１１−１〜１１−Ｎにより、放送局からの音声放送用ＴＳが一定回数連続でＮＵＬＬパケットに置き換わったと識別された場合、各ＮＵＬＬパケットの時間インターリーブの深さを切り換える。このとき、変更可能な時間インターリーブの深さは、０，１，２，４であり、制御部１２−１〜１２−Ｎは、この値の中から各セグメントにおける時間インターリーブの深さをランダムに切換制御する。なお、時間インターリーブの深さの変更は、変調方式、畳み込みの変更と異なり、ＴＳデータの過不足は発生しない。
【００１６】
次に、上記構成における動作について説明する。
【００１７】
図２は、本発明の一実施形態に係るエラー訂正部１０−１〜１０−ＮにおけるＮＵＬＬパケットの処理動作を示すフローチャートである。
【００１８】
まず、エラー訂正部１０−１〜１０−Ｎに音声ＴＳパケットが入力されると（ステップＳ１）、識別部１１−１〜１１−ＮでＰＩＤを監視して（ステップＳ２）、この音声ＴＳパケットがＮＵＬＬパケットであることを検出するとともにＮＵＬＬパケット連続検出回数Ｍをカウントする（ステップＳ３）。そして、ＮＵＬＬパケット連続検出回数Ｍが設定検出回数Ｎ以上となるか否かを判断し（ステップＳ４）、ＭがＮ以上である場合（ステップＳ４のＹｅｓ）、制御部１２−１〜１２−ＮでこのＮＵＬＬパケットの時間インターリーブの深さをランダムに切り換える（ステップＳ５）。ＭがＮ未満である場合（ステップＳ４のＮｏ）、通常の動作のままとする（ステップＳ６）。
【００１９】
以上のように、上記一実施形態では、放送局から送信される音声放送用ＴＳが音声ＴＳパケットからＮＵＬＬパケットに置き換えられると、エラー訂正部１０−１〜１０−Ｎの識別部１１−１〜１１−Ｎでその音声放送用ＴＳのＰＩＤを検出し、入力パケットがＮＵＬＬパケットであるか否かを識別する。そして、ＮＵＬＬパケットであると識別されると、制御部１２−１〜１２−ＮでそのＮＵＬＬパケットの時間インターリーブの深さを０，１，２，４のうちからランダムに切り換え制御する。この結果、各系統において、ＮＵＬＬパケットは互いに異なる順序に並び換えられてＯＦＤＭ化部２０へ出力される。これにより、ＯＦＤＭ化の段階におけるセグメント間の信号パターンの一致を回避することが可能となる。
【００２０】
したがって、上記構成による連結送信装置によれば、セグメント間における信号パターンの一致を回避することが可能であるため、ＮＵＬＬパケットの入力時にＯＦＤＭ化によって生じていた出力波形の乱れを改善することができる。
【００２１】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２２】
【図１】本発明に係る連結送信装置の一実施形態の構成を示すブロック図。
【図２】上記一実施形態のエラー訂正部において、ＮＵＬＬパケット入力時の対応処理動作を示すフローチャート。
【符号の説明】
【００２３】
１０−１〜１０−Ｎ…エラー訂正部、１１−１〜１１−Ｎ…識別部、１２−１〜１２−Ｎ…制御部、２０…ＯＦＤＭ化部。
【図１】
2009016923.tif 000003
【図２】
2009016923.tif 000004